【手続補正書】
【提出日】平成30年10月18日(2018.10.18)
【手続補正１】
【補正対象書類名】明細書
【補正対象項目名】０１８９
【補正方法】変更
【補正の内容】
【０１８９】
本明細書において具体的な実施形態を図示し説明したが、本開示の範囲を逸脱することなく、図示及び説明された具体的な実施形態を、さまざまな代替的かつ／又は均等な実現形態で置き換えることができることを、当業者であれば理解するであろう。本出願では、本明細書において説明した具体的な実施形態のいかなる適合例又は変形例も包含されることを意図している。したがって、本開示は、特許請求の範囲及びその均等物によってのみ限定されることが意図される。本発明の実施態様の一部を以下の〈態様１〉−〈態様１６〉に記載する。
〈態様１〉
照明構成要素であって、
光注入領域と、少なくとも１つの反射性又は半透過性の外側主面と、前記少なくとも１つの反射性又は半透過性の外側主面の１つ以上の遠位端部に隣接する出力主面と、を含む光学容積と、
前記光学容積内に少なくとも部分的に配設され、かつ、少なくとも第１の状態及び第２の状態を有する第１の切り替え可能な拡散体と、を備え、
前記第１の状態は第１のヘイズによって特徴付けられ、前記第２の状態は前記第１のヘイズとは異なる第２のヘイズによって特徴付けられ、
前記第１の切り替え可能な拡散体の少なくとも一部は、前記光学容積の光軸に平行ではない面法線を有し、
前記少なくとも１つの反射性又は半透過性の外側主面は、前記光学容積の対向する境界を画定する、照明構成要素。
〈態様２〉
照明構成要素であって、
光注入領域と、少なくとも１つの反射性又は半透過性の外側主面と、前記少なくとも１つの反射性又は半透過性の外側主面の１つ以上の遠位端部に隣接する出力主面と、を含む光学容積と、
前記光学容積内に少なくとも部分的に配設され、かつ、少なくとも第１の状態及び第２の状態を有する第１の切り替え可能な拡散体と、を備え、
前記第１の状態は第１のヘイズによって特徴付けられ、前記第２の状態は前記第１のヘイズとは異なる第２のヘイズによって特徴付けられ、
前記少なくとも１つの反射性又は半透過性の外側主面は、空間的に変化する反射特性を有し、
前記少なくとも１つの反射性又は半透過性の外側主面は、前記光学容積の対向する境界を画定する、照明構成要素。
〈態様３〉
前記空間的に変化する反射特性は、第１の波長帯域内における非偏光の１つ以上の反射性と、前記第１の波長帯域内における第１の偏光状態を有する偏光の反射性と、前記第１の波長帯域内における非偏光の拡散反射率と、前記第１の波長帯域内における前記第１の偏光状態を有する偏光の拡散反射率と、を含む、態様２に記載の照明構成要素。
〈態様４〉
照明構成要素であって、
光注入領域と、少なくとも１つの反射性又は半透過性の外側主面と、前記少なくとも１つの反射性又は半透過性の外側主面の１つ以上の遠位端部に隣接する出力主面と、を含む光学容積と、
前記光学容積内に少なくとも部分的に配設され、かつ、少なくとも第１の状態及び第２の状態を有する第１の切り替え可能な拡散体と、を備え、
前記第１の状態は第１のヘイズによって特徴付けられ、前記第２の状態は前記第１のヘイズとは異なる第２のヘイズによって特徴付けられ、
前記少なくとも１つの反射性又は半透過性の外側主面は、前記光学容積の対向する境界を画定し、
前記少なくとも１つの反射性又は半透過性の外側主面は、前記光注入領域から前記出力主面まで延在する１つ以上の面を含み、前記光注入領域の反対側の前記出力主面に近接して配設された追加の面を含む、照明構成要素。
〈態様５〉
前記光学容積は、前記光注入領域から前記出力主面まで実質的に収束するか又は広がるがその両方ではない境界を有する、態様１〜４のいずれか一態様に記載の照明構成要素。
〈態様６〉
前記第１の切り替え可能な拡散体は、スメクチックＡ液晶を含む、態様１〜４のいずれか一態様に記載の照明構成要素。
〈態様７〉
前記第１の切り替え可能な拡散体は、複数の独立してアドレス可能な領域を含み、各領域は独立して前記第１の状態又は前記第２の状態にあり得る、態様１〜４のいずれか一態様に記載の照明構成要素。
〈態様８〉
前記少なくとも１つの反射性又は半透過性の外側主面が、ゾーンごとに変化する反射特性を有する複数のゾーンを含む、態様７に記載の照明構成要素。
〈態様９〉
前記ゾーンは前記領域に対応している、態様８に記載の照明構成要素。
〈態様１０〉
複数のＬＥＤを有する光源を更に備え、前記第１の切り替え可能な拡散体の前記独立してアドレス可能な領域が前記複数のＬＥＤと位置合わせされている、態様９に記載の照明構成要素。
〈態様１１〉
前記第１の切り替え可能な拡散体に隣接するセグメント化された層を更に備え、前記セグメント化された層のセグメントは、前記第１の切り替え可能な拡散体の前記独立してアドレス可能な領域に位置合わせされている、態様７に記載の照明構成要素。
〈態様１２〉
照明構成要素であって、
一体型で光学的に透明な構成要素であって、少なくとも１つの傾斜主面と、前記少なくとも１つの傾斜主面に隣接する入力面と、前記入力面の反対側の出力面と、を有し、前記出力面は前記少なくとも１つの傾斜主面に隣接する、一体型で光学的に透明な構成要素と、
少なくとも１つの傾斜主面の少なくとも一部に取り付けられ、かつ、前記少なくとも１つの傾斜主面の少なくとも一部を覆う少なくとも１つの拡散体と、を備え、
前記少なくとも１つの拡散体は、少なくとも第１の状態と、前記第１の状態とは異なる第２の状態とを有する第１の切り替え可能な拡散体を含み、
前記少なくとも１つの傾斜主面は、前記入力面から前記出力面まで実質的に収束するか又は広がるがその両方ではない、照明構成要素。
〈態様１３〉
照明構成要素であって、
光ガイドであって、少なくとも１つの主面と、前記少なくとも１つの主面に隣接する入力面と、前記入力面の反対側の出力面と、を有し、前記出力面は前記少なくとも１つの主面に隣接する、光ガイドと、
前記出力面の反対側の前記入力面に隣接して配設された第１の切り替え可能な拡散体と、を備え、
前記第１の切り替え可能な拡散体は、少なくとも第１の状態と、前記第１の状態とは異なる第２の状態とを有する、照明構成要素。
〈態様１４〉
前記少なくとも１つの主面は、前記入力面から前記出力面まで実質的に収束する、対向する境界を含む、態様１３に記載の照明構成要素。
〈態様１５〉
照明構成要素であって、
少なくとも１つの反射性又は半透過性の外側主面と、前記少なくとも１つの反射性又は半透過性の外側主面に隣接する光注入領域と、前記光注入領域の反対側の遠位面と、を有する光学容積と、
前記光学容積内に少なくとも部分的に配設され、かつ、少なくとも第１の状態及び第２の状態を有する第１の切り替え可能な拡散体と、を備え、前記第１の状態は第１のヘイズによって特徴付けられ、前記第２の状態は前記第１のヘイズとは異なる第２のヘイズによって特徴付けられ、
前記少なくとも１つの反射性又は半透過性の外側主面は、前記光学容積の対向する境界を画定し、前記対向する境界は前記光注入領域から前記遠位面まで実質的に収束する、照明構成要素。
〈態様１６〉
少なくとも１つのセンサとコントローラとを更に備え、前記コントローラは、前記少なくとも１つのセンサからの少なくとも１つの入力を受信し、前記第１の切り替え可能な拡散体に制御信号を提供するように構成されている、態様１〜４、及び１２〜１５のいずれか一態様に記載の照明構成要素。
【手続補正２】
【補正対象書類名】特許請求の範囲
【補正対象項目名】全文
【補正方法】変更
【補正の内容】
【特許請求の範囲】
【請求項１】
照明構成要素であって、
光注入領域と、少なくとも１つの反射性又は半透過性の外側主面と、前記少なくとも１つの反射性又は半透過性の外側主面の１つ以上の遠位端部に隣接する出力主面と、を含む光学容積と、
前記光学容積内に少なくとも部分的に配設され、かつ、少なくとも第１の状態及び第２の状態を有する第１の切り替え可能な拡散体と、を備え、
前記第１の状態は第１のヘイズによって特徴付けられ、前記第２の状態は前記第１のヘイズとは異なる第２のヘイズによって特徴付けられ、
前記第１の切り替え可能な拡散体の少なくとも一部は、前記光学容積の光軸に平行ではない面法線を有し、
前記少なくとも１つの反射性又は半透過性の外側主面は、前記光学容積の対向する境界を画定する、照明構成要素。
【請求項２】
照明構成要素であって、
光注入領域と、少なくとも１つの反射性又は半透過性の外側主面と、前記少なくとも１つの反射性又は半透過性の外側主面の１つ以上の遠位端部に隣接する出力主面と、を含む光学容積と、
前記光学容積内に少なくとも部分的に配設され、かつ、少なくとも第１の状態及び第２の状態を有する第１の切り替え可能な拡散体と、を備え、
前記第１の状態は第１のヘイズによって特徴付けられ、前記第２の状態は前記第１のヘイズとは異なる第２のヘイズによって特徴付けられ、
前記少なくとも１つの反射性又は半透過性の外側主面は、空間的に変化する反射特性を有し、
前記少なくとも１つの反射性又は半透過性の外側主面は、前記光学容積の対向する境界を画定する、照明構成要素。
【請求項３】
前記空間的に変化する反射特性は、第１の波長帯域内における非偏光の１つ以上の反射性と、前記第１の波長帯域内における第１の偏光状態を有する偏光の反射性と、前記第１の波長帯域内における非偏光の拡散反射率と、前記第１の波長帯域内における前記第１の偏光状態を有する偏光の拡散反射率と、を含む、請求項２に記載の照明構成要素。
【請求項４】
照明構成要素であって、
光注入領域と、少なくとも１つの反射性又は半透過性の外側主面と、前記少なくとも１つの反射性又は半透過性の外側主面の１つ以上の遠位端部に隣接する出力主面と、を含む光学容積と、
前記光学容積内に少なくとも部分的に配設され、かつ、少なくとも第１の状態及び第２の状態を有する第１の切り替え可能な拡散体と、を備え、
前記第１の状態は第１のヘイズによって特徴付けられ、前記第２の状態は前記第１のヘイズとは異なる第２のヘイズによって特徴付けられ、
前記少なくとも１つの反射性又は半透過性の外側主面は、前記光学容積の対向する境界を画定し、
前記少なくとも１つの反射性又は半透過性の外側主面は、前記光注入領域から前記出力主面まで延在する１つ以上の面を含み、前記光注入領域の反対側の前記出力主面に近接して配設された追加の面を含む、照明構成要素。
【請求項５】
前記第１の切り替え可能な拡散体は、スメクチックＡ液晶を含む、請求項１〜４のいずれか一項に記載の照明構成要素。
【請求項６】
前記第１の切り替え可能な拡散体は、複数の独立してアドレス可能な領域を含み、各領域は独立して前記第１の状態又は前記第２の状態にあり得る、請求項１〜４のいずれか一項に記載の照明構成要素。
【請求項７】
照明構成要素であって、
一体型で光学的に透明な構成要素であって、少なくとも１つの傾斜主面と、前記少なくとも１つの傾斜主面に隣接する入力面と、前記入力面の反対側の出力面と、を有し、前記出力面は前記少なくとも１つの傾斜主面に隣接する、一体型で光学的に透明な構成要素と、
少なくとも１つの傾斜主面の少なくとも一部に取り付けられ、かつ、前記少なくとも１つの傾斜主面の少なくとも一部を覆う少なくとも１つの拡散体と、を備え、
前記少なくとも１つの拡散体は、少なくとも第１の状態と、前記第１の状態とは異なる第２の状態とを有する第１の切り替え可能な拡散体を含み、
前記少なくとも１つの傾斜主面は、前記入力面から前記出力面まで実質的に収束するか又は広がるがその両方ではない、照明構成要素。
【請求項８】
照明構成要素であって、
光ガイドであって、少なくとも１つの主面と、前記少なくとも１つの主面に隣接する入力面と、前記入力面の反対側の出力面と、を有し、前記出力面は前記少なくとも１つの主面に隣接する、光ガイドと、
前記出力面の反対側の前記入力面に隣接して配設された第１の切り替え可能な拡散体と、を備え、
前記第１の切り替え可能な拡散体は、少なくとも第１の状態と、前記第１の状態とは異なる第２の状態とを有する、照明構成要素。
【請求項９】
照明構成要素であって、
少なくとも１つの反射性又は半透過性の外側主面と、前記少なくとも１つの反射性又は半透過性の外側主面に隣接する光注入領域と、前記光注入領域の反対側の遠位面と、を有する光学容積と、
前記光学容積内に少なくとも部分的に配設され、かつ、少なくとも第１の状態及び第２の状態を有する第１の切り替え可能な拡散体と、を備え、前記第１の状態は第１のヘイズによって特徴付けられ、前記第２の状態は前記第１のヘイズとは異なる第２のヘイズによって特徴付けられ、
前記少なくとも１つの反射性又は半透過性の外側主面は、前記光学容積の対向する境界を画定し、前記対向する境界は前記光注入領域から前記遠位面まで実質的に収束する、照明構成要素。
【請求項１０】
少なくとも１つのセンサとコントローラとを更に備え、前記コントローラは、前記少なくとも１つのセンサからの少なくとも１つの入力を受信し、前記第１の切り替え可能な拡散体に制御信号を提供するように構成されている、請求項１〜４、及び７〜９のいずれか一項に記載の照明構成要素。